【手続補正書】
【提出日】平成26年10月31日(2014.10.31)
【手続補正１】
【補正対象書類名】特許請求の範囲
【補正対象項目名】全文
【補正方法】変更
【補正の内容】
【特許請求の範囲】
【請求項１】
モバイルコンピューティングデバイスセンサを使用して、プライベートスペースのマップを生成するコンピュータ実装方法であって、当該方法は、
コンピュータが、プライベートスペースを記述するデジタル署名を判断するために、少なくとも１つのモバイルコンピューティングデバイスからセンサデータを受信するステップと、
前記コンピュータが、前記少なくとも１つのモバイルコンピューティングデバイスから収集されたスケジューリングデータを受信するステップであって、前記スケジューリングデータは前記プライベートスペースに関連付けられたロケーションを記述する、ステップと、
平均的な確度よりも高い精度で、前記スケジューリングデータに記述された前記ロケーションに関連付けられるロケーション名を前記プライベートスペースに割り当てるために、前記センサデータ及び前記ロケーションに基づいて統計分析を実行するステップと、
前記コンピュータが、前記デジタル署名と前記プライベートスペースに関連付けられた前記ロケーションとから前記プライベートスペースのデジタルマップを生成するステップと、
を含むことを特徴とする方法。
【請求項２】
前記受信したセンサデータが前記少なくとも１つのモバイルコンピューティングデバイスの少なくとも１つの既知のユーザに相関していることを判断するステップと、
前記受信したセンサデータと前記スケジューリングデータとの間の相関を判断するステップと、
をさらに含むことを特徴とする請求項１記載の方法。 
【請求項３】
前記受信したセンサデータが前記少なくとも１つのモバイルコンピューティングデバイスの少なくとも１つの既知のユーザに相関されていないことを判断するステップと、
前記受信したセンサデータが前記スケジューリングデータに無関係であることを判断するステップと、
前記受信したセンサデータを廃棄するステップと、
をさらに含む請求項１記載の方法。
【請求項４】
前記コンピュータが、前記デジタル署名と前記プライベートスペースに関連付けられた前記ロケーションとから前記プライベートスペースのデジタルマップを生成するステップは、前記デジタル署名と前記プライベートスペースに関連付けられた前記ロケーションとによって公共マップを強化するステップを含む請求項１記載の方法。
【請求項５】
前記コンピュータが、前記デジタル署名と前記プライベートスペースに関連付けられた前記ロケーションとから前記プライベートスペースのデジタルマップを生成するステップは、
前記受信したセンサデータが新しいセンサデータを含むことを判断するステップと、
前記プライベートスペースに関連付けられた前記ロケーションのための新しいエントリをデータベース内に生成するステップと、
前記新しいセンサデータと前記新しいエントリに関連付けられた名称とを前記データベースに記憶するステップと、
を含む請求項１記載の方法。 
【請求項６】
前記コンピュータが、前記デジタル署名と前記プライベートスペースに関連付けられた前記ロケーションとから前記プライベートスペースのデジタルマップを生成するステップは、
前記受信したセンサデータが、新しいセンサデータと既にデータベースに記憶されている前記プライベートスペースに関連付けられたセンサデータとの組み合わせを含むことを判断するステップと、
前記新しいセンサデータと前記プライベートスペースに関連付けられた前記ロケーションとの間の相関を判断するステップと、
前記既に記憶されているセンサデータと前記プライベートスペースに関連付けられた前記ロケーションとを、前記新しいセンサデータにより拡張して、前記デジタルマップを生成するステップと、
を含む請求項１記載の方法。 
【請求項７】
前記コンピュータが、前記デジタル署名と前記プライベートスペースに関連付けられた前記ロケーションとから前記プライベートスペースのデジタルマップを生成するステップは、
前記受信したセンサデータが、新しいセンサデータと既にデータベースに記憶されている前記プライベートスペースに関連付けられたセンサデータとの組み合わせを含むことを判断するステップと、
前記新しいセンサデータと別のプライベートスペースに関連付けられた別のロケーションとの間の相関を判断するステップと、
前記ロケーションと別のロケーションに関連付けられたセンサデータとを、前記新しいセンサデータにより拡張して、前記デジタルマップを生成するステップと、
前記少なくとも１つのモバイルコンピューティングデバイスにクエリを送信して、前記デジタルマップ内の前記デジタル署名を確認するステップと、
を含む請求項１記載の方法。 
【請求項８】
前記コンピュータが、前記デジタル署名と前記プライベートスペースに関連付けられた前記ロケーションとから前記プライベートスペースのデジタルマップを生成するステップは、
前記受信したセンサデータが、既にデータベースに記憶されている前記プライベートスペースに関連付けられたセンサデータと、他のプライベートスペースに関連付けられた他のロケーションとに無関係であることを判断するステップと、
前記受信したセンサデータを破棄するステップと、
を含む請求項１記載の方法。
【請求項９】
モバイルコンピューティングデバイスセンサを使用して、プライベートスペースのマップを生成するサーバであって、
実行可能なプログラムコードを記憶するメモリと、
前記メモリに機能的に結合され、前記プログラムコードに含まれるコンピュータ実行可能命令に応答するプロセッサと
を備え、前記プロセッサは、
プライベートスペースを記述するデジタル署名を判断するために、少なくとも１つのモバイルコンピューティングデバイスからセンサデータを取得し、
前記少なくとも１つのモバイルコンピューティングデバイスから収集されたスケジューリングデータを取得し、前記スケジューリングデータは前記プライベートスペースに関連付けられたロケーションを記述し、
平均的な確度よりも高い精度で、前記スケジューリングデータに記述された前記ロケーションに関連付けられるロケーション名を前記プライベートスペースに割り当てるために、前記センサデータ及び前記ロケーションに基づいて統計分析を実行し、
前記デジタル署名と前記プライベートスペースに関連付けられた前記ロケーションとから前記プライベートスペースのデジタルマップを生成する
ことを特徴とするサーバ。
【請求項１０】
前記プロセッサは、さらに、
前記受信したセンサデータが前記少なくとも１つのモバイルコンピューティングデバイスの少なくとも１つの既知のユーザに相関していることを判断し、
前記受信したセンサデータと前記スケジューリングデータとの間の相関を判断する
ことを特徴とする請求項９記載のサーバ。 
【請求項１１】
前記プロセッサは、
前記受信したセンサデータが前記少なくとも１つのモバイルコンピューティングデバイスの少なくとも１つの既知のユーザに相関されていないことを判断し、
前記受信したセンサデータが前記スケジューリングデータに無関係であることを判断し、
前記受信したセンサデータを廃棄する
ことを特徴とする請求項９記載のサーバ。
【請求項１２】
前記プロセッサは、前記デジタル署名と前記プライベートスペースに関連付けられた前記ロケーションとから前記プライベートスペースのデジタルマップを生成する際に、
前記受信したセンサデータが新しいセンサデータを含むことを判断し、
前記プライベートスペースに関連付けられた前記ロケーションのための新しいエントリをデータベース内に生成し、
前記新しいセンサデータと前記新しいエントリに関連付けられた名称とを前記データベースに記憶する
ことを特徴とする請求項９記載のサーバ。 
【請求項１３】
前記プロセッサは、前記デジタル署名と前記プライベートスペースに関連付けられた前記ロケーションとから前記プライベートスペースのデジタルマップを生成する際に、
前記受信したセンサデータが、新しいセンサデータと既にデータベースに記憶されている前記プライベートスペースに関連付けられたセンサデータとの組み合わせを含むことを判断し、
前記新しいセンサデータと前記プライベートスペースに関連付けられた前記ロケーションとの間の相関を判断し、
前記既に記憶されているセンサデータと前記プライベートスペースに関連付けられた前記ロケーションとを、前記新しいセンサデータにより拡張して、前記デジタルマップを生成する
ことを特徴とする請求項９記載のサーバ。 
【請求項１４】
前記プロセッサは、前記デジタル署名と前記プライベートスペースに関連付けられた前記ロケーションとから前記プライベートスペースのデジタルマップを生成する際に、
前記受信したセンサデータが、新しいセンサデータと既にデータベースに記憶されている前記プライベートスペースに関連付けられたセンサデータとの組み合わせを含むことを判断し、
前記新しいセンサデータと別のプライベートスペースに関連付けられた別のロケーションとの間の相関を判断し、
前記ロケーションと別のロケーションに関連付けられたセンサデータとを、前記新しいセンサデータにより拡張して、前記デジタルマップを生成し、
前記少なくとも１つのモバイルコンピューティングデバイスにクエリを送信して、前記デジタルマップ内の前記デジタル署名を確認する
ことを特徴とする請求項９記載のサーバ。 
【請求項１５】
前記プロセッサは、前記デジタル署名と前記プライベートスペースに関連付けられた前記ロケーションとから前記プライベートスペースのデジタルマップを生成する際に、
前記新しいセンサデータが、既にデータベースに記憶されている前記プライベートスペースに関連付けられたセンサデータと、他のプライベートスペースに関連付けられた他のロケーションとに無関係であることを判断し、
前記受信したセンサデータを破棄する
ことを特徴とする請求項９記載のサーバ。
【請求項１６】
コンピュータによって実行されると、コンピュータに、モバイルコンピューティングデバイスセンサを使用してプライベートスペースのマップを生成する方法を実行させるプログラムであって、前記方法は、
プライベートスペースを記述するデジタル署名を判断するために、少なくとも１つのモバイルコンピューティングデバイスからセンサデータを受信するステップと、
前記受信したセンサデータが前記少なくとも１つのモバイルコンピューティングデバイスの少なくとも１つの既知のユーザと相関するかどうかを判断するステップと、
前記受信したセンサデータが前記少なくとも１つのモバイルコンピューティングデバイスの少なくとも１つの既知のユーザと相関すると判断すると、前記少なくとも１つのモバイルコンピューティングデバイスから収集されたスケジューリングデータを受信するステップであって、前記スケジューリングデータは前記プライベートスペースに関連付けられたロケーションを記述する、ステップと、
平均的な確度よりも高い精度で、前記スケジューリングデータに記述された前記ロケーションに関連付けられるロケーション名を前記プライベートスペースに割り当てるために、前記センサデータ及び前記ロケーションに基づいて統計分析を実行するステップと、
前記受信したセンサデータと前記スケジューリングデータとの間の相関を判断するステップと、
前記デジタル署名と前記プライベートスペースに関連付けられた前記ロケーションとから前記プライベートスペースのデジタルマップを生成するステップと、
を含むことを特徴とするプログラム。
【請求項１７】
前記受信したセンサデータが前記少なくとも１つのモバイルコンピューティングデバイスの前記少なくとも１つの既知のユーザに相関されていないと判断すると、前記受信したセンサデータを廃棄するステップをさらに含む請求項１６記載のプログラム。
【請求項１８】
前記デジタル署名と前記プライベートスペースに関連付けられた前記ロケーションとから前記プライベートスペースのデジタルマップを生成するステップは、
前記受信したセンサデータが新しいセンサデータを含むことを判断するステップと、
前記プライベートスペースに関連付けられた前記ロケーションのための新しいエントリをデータベース内に生成するステップと、
前記新しいセンサデータと前記新しいエントリに関連付けられた名称とを前記データベースに記憶するステップと、
を含む請求項１６記載のプログラム。 
【請求項１９】
前記デジタル署名と前記プライベートスペースに関連付けられた前記ロケーションとから前記プライベートスペースのデジタルマップを生成するステップは、
前記受信したセンサデータが、新しいセンサデータと既にデータベースに記憶されている前記プライベートスペースに関連付けられたセンサデータとの組み合わせを含むことを判断するステップと、
前記新しいセンサデータと前記プライベートスペースに関連付けられた前記ロケーションとの間の相関を判断するステップと、
前記既に記憶されているセンサデータと前記プライベートスペースに関連付けられた前記ロケーションとを、前記新しいセンサデータにより拡張して、前記デジタルマップを生成するステップと、
を含む請求項１６記載のプログラム。 
【請求項２０】
前記デジタル署名と前記プライベートスペースに関連付けられた前記ロケーションとから前記プライベートスペースのデジタルマップを生成するステップは、
前記受信したセンサデータが、新しいセンサデータと既にデータベースに記憶されている前記プライベートスペースに関連付けられたセンサデータとの組み合わせを含むことを判断するステップと、
前記新しいセンサデータと別のプライベートスペースに関連付けられた別のロケーションとの間の相関を判断するステップと、
前記ロケーションと別のロケーションに関連付けられたセンサデータとを、前記新しいセンサデータにより拡張して、前記デジタルマップを生成するステップと、
前記少なくとも１つのモバイルコンピューティングデバイスにクエリを送信して、前記デジタルマップ内の前記デジタル署名を確認するステップと、
を含む請求項１６記載のプログラム。